(57)【要約】【課題】ドアの開状態および閉状態におけるドアを支持する部材への負荷を分散することで、耐久力を高めると同時に、滑らかなドアの開閉操作を行えるようにした移動式パネル装置を提供する。【解決手段】上部を天井に架設したガイドレールにより案内され、下部に走行自在なキャスタ５，５０とを有し、移動式パネル１０，１０，…を複数枚連設することで室内空間を仕切る移動式パネル装置１であって、移動式パネル１０，１０，…の内少なくとも一枚の移動式パネルは床まで開口する開口部Ｋを有し、該開口部Ｋに設けた上下のヒンジ部４０，４１にドア２１が枢設されており、該ドア２１は下部に前後左右に走行自在な旋回キャスタ５０を備えた。【選択図】図３
2014088747.tif 000002
【特許請求の範囲】
【請求項１】
上部を天井に架設したガイドレールにより案内される案内部と、下部に走行自在なキャスタとを有し、移動式パネルを複数枚連設することで室内空間を仕切る移動式パネル装置であって、
前記移動式パネルの内少なくとも一枚の移動式パネルは床まで開口する開口部を有し、該開口部に設けたヒンジ部にドアが枢設されており、該ドアは下部に前後左右に走行自在な旋回キャスタを備えていることを特徴とする移動式パネル装置。
【請求項２】
前記ドアを有する移動式パネルは、その移動時に前記ドアを前記移動式パネル本体に対して移動不能とする移動規制手段を備えることを特徴とする請求項１に記載の移動式パネル装置。
【請求項３】
前記開口部が、前記移動式パネルの本体の一方側部に向け開口しており、当該開口の縁部まで前記ドアが延長していることを特徴とする請求項１または２に記載の移動式パネル装置。
【発明の詳細な説明】
【技術分野】
【０００１】
本発明は、上部を天井に架設したガイドレールにより案内され、複数枚で室内空間を仕切る移動式パネルにおいて、特に仕切られた部屋間を出入り可能なドアを組込んだ移動式パネル装置に関する。
【背景技術】
【０００２】
従来、間仕切りされた部屋間を出入り可能とするために、このような移動式パネルにドアを取付けたものが知られており、そのドアの機構は、例えば側枠部の上端間に天枠部を設けてなるドア枠の一方の側枠部にヒンジを利用してドアを上昇可能に蝶設させ、ドア閉状態で機能する密接部材作動機構により、ドアの下縁部に突没可能に設けられた可動密接部材を床面に押し付けることで、その反作用を用いてドアをドア枠の天枠部に密着させるようにしたものがある（例えば、特許文献１参照）。
【先行技術文献】
【特許文献】
【０００３】
【特許文献１】実開平７−１５９９６号公報（第２頁、第１図）
【発明の概要】
【発明が解決しようとする課題】
【０００４】
しかしながら、特許文献１にあるようなドアの機構にあっては、ドアの開状態では、ドアは上下に設けたヒンジのみで支持されている片持ち状態であるため、ヒンジを原点としてドアの荷重点となる力のモーメントが働き、ヒンジがドア側に変形するような負荷がかかった状態で開操作されるためにヒンジへの負荷が高く、ヒンジの摩耗及び破損が生じる恐れがあるばかりか、滑らかなドアの開閉操作が行えない問題がある。
【０００５】
本発明は、このような問題点に着目してなされたもので、ドアの開状態および閉状態におけるドアを支持する部材への負荷を分散することで、耐久力を高めると同時に、滑らかなドアの開閉操作を行えるようにした移動式パネル装置を提供することを目的とする。
【課題を解決するための手段】
【０００６】
前記課題を解決するために、本発明の移動式パネル装置は、
上部を天井に架設したガイドレールにより案内される案内部と、下部に走行自在なキャスタとを有し、移動式パネルを複数枚連設することで室内空間を仕切る移動式パネル装置であって、
前記移動式パネルの内少なくとも一枚の移動式パネルは床まで開口する開口部を有し、該開口部に設けたヒンジ部にドアが枢設されており、該ドアは下部に前後左右に走行自在な旋回キャスタを備えていることを特徴としている。
この特徴によれば、移動式パネルの内少なくとも一枚の移動式パネルは床まで開口する開口部を有し、この開口部に設けたヒンジ部にドアが枢設されており、さらにドアは下部に旋回キャスタを備えているため、ドアは、側部の一方をヒンジ部により支持されるとともに、ドアの下部を床面を前後左右に走行自在な旋回キャスタにより支持されることから、ドアの開状態閉状態に関わらず旋回キャスタがドアの重量の多くを支持可能であるため、ヒンジ部への負荷を減らすことができ、ヒンジ部の摩耗及び破損を防止することができるばかりか、ドアの開閉操作を滑らかに行うことができる。
【０００７】
前記ドアを有する移動式パネルは、その移動時に前記ドアを前記移動式パネル本体に対して移動不能とする移動規制手段を備えることを特徴としている。
この特徴によれば、ドアを有する移動式パネルはドアを移動不能とすることができるため、移動時には他の移動式パネルと同様に移動させることができ、間仕切り作業が容易である。
【０００８】
前記開口部が、前記移動式パネルの本体の一方側部に向け開口しており、当該開口の縁部まで前記ドアが延長していることを特徴としている。
この特徴によれば、ドアが隣接する他の移動式パネルの側部を利用してドアの閉状態とすることができるため、移動式パネルへのドアの組み込みを簡素な構造で実現可能であり、組み立てが容易であるとともに、製造コストを抑えることができる。
【図面の簡単な説明】
【０００９】
【図１】実施例における移動式パネル装置を示す斜視図である。
【図２】移動式パネルを示す正面図である。
【図３】ドアを有する移動式パネルを示す正面図である。
【図４】後述する上ヒンジ部を示す一部拡大図である。
【図５】後述する下ヒンジ部を示す一部拡大図である。
【図６】旋回キャスタの高さ調整を示す一部拡大図であり、（ａ）は、旋回キャスタの高さが低い状態を示し、（ｂ）は、旋回キャスタの高さが高い状態を示す図である。
【図７】旋回キャスタの旋回を示す一部拡大平面図である。
【図８】ドアの開閉を示すＡ−Ａ段面図である。
【図９】移動式パネル装置の第１の変形例を示す正面図である。
【図１０】移動式パネル装置の第２の変形例を示す正面図である。
【発明を実施するための形態】
【００１０】
本発明に係る移動式パネル装置を実施するための形態を実施例に基づいて以下に説明する。
【実施例】
【００１１】
図１に示されるように、移動式パネル装置１は、移動式パネル１０を複数枚連設することで室内空間を仕切る移動式パネルであり、上部を天井に架設した図示しないガイドレールに遊嵌することで、ガイドレールに案内される案内部１０ａと、下部に走行自在なキャスタ５（図２参照）とを有し、ガイドレールに吊支され、かつキャスタ５に支持されるとともに、任意の位置にガイドレールに沿って移動可能となっている。
【００１２】
図２に示されるように、移動式パネル１０は、アルミ等の押出成形で形成される側枠１２，１２及び上枠１２ａと下枠１２ｂと合成樹脂等により板状に形成されたパネル部材１１，１１，…とにより主に構成されており、移動式パネル１０の移動方向における両側部の側枠１２，１２の外面にはゴム等により形成された緩衝部材７０，７１（図８参照）が上下に亘ってそれぞれ取付けられている。
【００１３】
移動式パネル装置１は、これら連設される移動パネル１０，１０，…の内少なくとも一枚の移動式パネル（以下ドア組込移動式パネル２０という。）に一方側部と床まで開口する開口部Ｋを設け、この開口部Ｋにドア２１を枢設して、仕切られた部屋間を出入り可能としている。
【００１４】
ドア組込移動式パネル２０について、図３を用いて説明すると、ドア組込移動式パネル２０は、床まで延びる側枠２２ｂと、ドア２１の上方へ延びる側枠２２ｃと、これら側枠２２ｂと側枠２２ｃとの間に架設される、下枠２２ｄと上部にガイドレールに遊嵌する案内部２０ａ，２０ａを備えた上枠２２ａと、これらの枠体に囲まれて固定されるパネル材２２ｅと、により構成される上部パネル２２を有している。
【００１５】
そして、上部パネル２２と、側枠２２ｂに固定され上部パネル２２の下枠２２ｄから床面まで延びる側部材２３と、によりドア組込移動式パネル本体２４が構成されており、側部材２３の下方には他の移動パネル１と同様にキャスタ５が設けられている。
【００１６】
図３に示されるように、ドア２１はその閉操作時において、ドア組込移動式パネル２０における上部パネル２２の側枠２２ｃとドア２１の縦フレーム２１とが面一となるようになっており、ここでは図示しない上部パネル２２の側枠２２ｃの外面に上下に亘って取付けられた緩衝部材とドア２１の縦フレーム２１の外面には上下に亘って取付けられた緩衝部材７０が、隣接する他の移動式パネル１０の緩衝部材７１に当接して部屋間を仕切るようになっている（図８参照）。
【００１７】
ドア２１は、左右の縦フレーム２１ｂ，２１ｃと、縦フレーム２１ｂ，２１ｃに架設された上フレーム２１ａ及び下フレーム２１ｄと、これらのフレーム部材によって囲われたパネル２１ｅにより主に構成され、ドア２１の開口側の縦フレーム２１ｃにおける表と裏の中央付近には、それぞれ取手２１ｆ，２１ｆが形成されている。
【００１８】
ドア２１の下フレーム２１ｄは下方に開口する断面視略コ字状に形成されており、その下面２００に後述する前後左右に回動自在な旋回キャスタ５０が設けられている。尚、旋回キャスタ５０は少なくともドアの開口側に１つ以上設けられていてもよい。
【００１９】
図４に示されるように、ドア２１の縦フレーム２１ｂの上端には、逆Ｌ字板２１０が固定され、その水平面２１０ａから上方に向いて設けられた軸部２１０ｂが、ドア組込移動式パネル本体２４における下枠２２ｄに固定された軸案内部３０の軸穴３０ａに嵌入して上ヒンジ部４０を構成している。
【００２０】
さらに図５に示されるように、ドア組込移動式パネル本体２４における側部材２３の下端にはＬ字板２３０が固定され、その水平面２３０ａにドア２１を載置するとともに、その水平面２３０ａより上方に向いて設けられた軸部２３０ｂが、ドア２１の下フレーム２１ｄに設けられた軸案内部３１の軸穴３１ａに嵌入して下ヒンジ部４１を構成しており、これらの上ヒンジ部４０と下ヒンジ部４１によりドア２１が移動式パネル本体２４に対して枢設されている。
【００２１】
図６及び図７に示されるように、ドア２１の下部に設けられた旋回キャスタ５０は、車輪部３４を下フレーム２１ｄ内にキャスタ取付部材３２を介して取付けられており、キャスタ取付部材３２は、Ｌ字状の取付け部３３ａと、先端に車輪部３４を取付けられる水平面３３ｂを有するアーム３３を備え、車輪部３４はアームの水平面３３ｂの下面にベース３５を介して取付けられている。
【００２２】
キャスタ取付部材３２のアーム３３は、取付け部３３ａに向けて下方に傾斜する傾斜面３３ｃが途中に形成されて上段面３３ｄと下段面３３ｅとが形成され、取付け部３３ａは、その中央に縦長の長孔（図示せず）が形成されている。また、取付け部３３ａは挟持部材３６とドア２１の縦フレーム２１ｃとの間に前記長孔を挿通したネジ部材３７を介して挟着されている。
【００２３】
また、アームの下段面３３ｅの上面ないし傾斜面３３ｃの上面には、ネジ軸３８に螺合した平面視略コ字状のブラケット３９の先端に設けられた回転ローラ３９ａが転動可能に接触するとともに、ブラケット３９の上面はドアの下フレーム２１ｄの下面２１０に摺動可能に接触するようになっている。
【００２４】
そして、図６（ａ）及び（ｂ）に示されるように、ネジ軸３８の端部に、図示しないドライバーを差し込んでネジ軸３８を回転させることにより、ブラケット３９を前進移動させて先端の回転ローラ３９ａがアームの傾斜面３３ｃ上を転動しながら、アーム３３を下方に移動させる。このとき、ブラケット３９の上面は下フレーム２１ｄの下面２００に摺動するようになっているため、取付け部３３ａが前記長孔の範囲で下方に移動し、これに伴い車輪部３４がドア２１に対し高さ方向下方に移動する。そして、ネジ軸３８を図示しないナットにより固定するとともに、ネジ部材３７を回して挟持部材３６をドアの縦フレーム２１ｃ側に移動させて取付け部３３ａを挟圧して固定することで旋回キャスタ５０の高さ寸法を決定する。
【００２５】
このように、旋回キャスタ５０の高さを調整可能であるため、ドア組込移動パネル２０の移動通路とドア２１の開閉方向における床面の高さとが異なる場合でも、ドア２１の開閉方向における床面に旋回キャスタ５０を当接させることができる。
【００２６】
また、車輪部３４は車輪６０を軸支するフォーク６１を備えており、フォーク６１と前記ベース３５とが旋回軸６２により回動可能かつ離脱不能に連結されている。そのため、図７に示されるように、車輪部３４は旋回軸６２を中心として回動可能となっており、ドア２１の開閉移動の際に、旋回キャスタ５０の車輪６０がドア２１の移動方向を向いた状態で回動できるようになっている。
【００２７】
ドア２１は所定の幅を有しているため、上ヒンジ部４０を原点としてドア２１の荷重点となる力のモーメントが働くが、旋回キャスタ５０がドア２１の幅方向における開口部側でドア２１の荷重を支持するため、ドア２１の開状態閉状態に関わらずに上ヒンジ部２１への負荷が軽減されている。さらに、軸部２１０ｂ，２３０ｂと軸穴３０ａ，３１ａとが水平に保たれることから滑らかなドアの開閉が可能である。
【００２８】
そして、図８に示されるように、ドア２１の開口側の縦フレーム２１ｃに上下に亘って設けられた緩衝部材７０を、隣接する他の移動式パネル１０の緩衝部材７１に当接させることでドア２１を閉状態とすることができるため、移動式パネルへのドア２１の組み込みを簡素な構造で実現可能であり、組み立てが容易であるとともに、製造コストを抑えることができる。
【００２９】
更に、ドア２１側の緩衝部材７０の断面形状が、上下に亘り同形状であるとともに平坦面７０ａと当該平坦面７０ａの前後に一部突出した突出部７０ｂ，７０ｂをそれぞれ有した形状であり、隣接する移動式パネル１０の緩衝部材７１の断面形状は上下に亘り同形状の平坦面７１ａを有した形状である。これによれば、両者の当接時には、ドア２１側の緩衝部材７０と移動式パネル１０の緩衝部材７１の平坦面７０ａ，７１ａ同士が当接するとともに、移動式パネル１０の緩衝部材７１の平坦面７１ａがドア２１側の緩衝部材７０の突出部７０ｂ，７０ｂに挟まれるため、ドア２１の開操作にかかる所定以上の力で係合が外れるようになっている。
【００３０】
尚、ドア組込移動式パネル２０における上部パネル２２の床まで延びる縦フレーム２２ｂの外面に設けられる緩衝部材および、床まで延びる縦フレーム２２ｂに対向する側に連設される移動式パネル１０’の緩衝部材には、図８に示されるように、一方を突出部７０ｂを有した緩衝部材７０を用いて係合力を高めるようにしてもよいし、どちらも前記突出部を持たない緩衝部材７１としてもよい。
【００３１】
また図２に示されるように、移動式パネル１０は、側枠１２，１２のうち少なくとも一方にガイドレール方向に突没可能なフランス落し８０を有しており、このフランス落し８０をガイドレールに所定間隔で設けられた図示しない受穴に嵌入させることで移動式パネル１０を移動不能に設置できるようになっている。
【００３２】
詳しくは、フランス落し８０は、側枠１２の内部に形成された案内孔９０に棒状部材８１を遊嵌するとともに、この棒状部材８１の端部に設けられた操作部８２を側枠１２の外方へ突出させて構成されており、操作部８２を上下操作することで棒状部材８１の突没操作を行う。尚、棒状部材８１は、図示しないバネにより上方に向けて付勢されており、ここでいう操作部の操作は、主に引き下げる操作である。
【００３３】
図３に示されるように、ドア組込移動式パネル２０における上部パネル２２の床まで延びる側枠２２ｂは、他の移動式パネル１０の側枠１２，１２と同形の部材であるため、前記移動式パネル１０の枠体に用いたフランス落し８０をそのまま利用することができ、このフランス落し８０によりドア組込移動式パネル２０を移動不能に設置できるようになっている。
【００３４】
また、ドア２１を構成する開口側の縦フレーム２１ｃにドア２１の上方に突没可能なドア固定用フランス落し８５（移動規制部材）を有しており、上部パネル２２の開口側側枠２２ｃの下部に設けられた受穴２２０にドア固定用フランス落し８５を嵌入させることでドア組込移動式パネル２０の移動時にドア２１が回動しないように規制することができる。
【００３５】
詳しくは、ドア固定用フランス落し８５は、開口側の縦フレーム２１ｃの内部に形成された案内孔９５に棒状部材８６を遊嵌するとともに、この棒状部材８６の端部に設けられた操作部８７を縦フレーム２１ｃの外方へ突出させて構成されており、操作部８７を上下操作することで棒状部材８６の突没操作を行う。尚、棒状部材８６は、図示しないバネにより上方に向けて付勢されており、ここでいう操作部の操作は、主に引き下げる操作である。
【００３６】
尚、移動式パネル１０の側枠１２及びドア組込移動式パネル２０の側枠２２ｂに設けられるフランス落し８０は、操作部８２を面側に備えていることから、移動式パネル１０，１０，…及びドア組込移動式パネル２０の移動を伴う設置作業時に、隣接する移動パネル１０側に突出しないため、連設する作業を妨げることがない。
【００３７】
また、ドア固定用フランス落し８５の操作部８７は、縦フレーム２１ｃの内側から操作できるようになっているとともに、前記取手２１ｆの近傍に配置されるようになっているため、片手で操作部を操作しながらドアの開閉操作を簡便に行うことができる。
【００３８】
ドア組込移動式パネル２０は移動時において、ドア２１の下部に設けられた旋回キャスタ５０が、ドア組込移動式パネル２０の移動方向を向き、前記側部材２３の下方に設けられたキャスタ５とともに回動するため、ドア組込移動式パネル２０を他の移動式パネル１０，１０，…と同様の操作性で移動させることができる。
【００３９】
また、図３に示されるように、ドア２１が移動式パネル本体２４における側部材２３の下端に取付けられたＬ字板２３０ａの水平面２３０ａにドア２１を載置した状態において、上部パネル２２の下端とドア２１の上端との間に若干の間隙αが設けられるように設計されており、この間隙αは、前述した旋回キャスタ５０の高さ調整代として利用できる。また、床面に傾斜や凹凸が生じている場合であっても、これらの床面の高さ変動を間隙αが吸収してドアの開閉操作を滑らかに行うことができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、ドア組込移動式パネル本体２４’にドア２１’を枢設する上下のヒンジ部４０’，４１’の構造は、図９の第１の変形例に示すような、一般的に知られる凹凸状の構造であってもよく、このように、上下のヒンジ部４０’，４１’を構成する部材にそれぞれ荷重がかかる構造であっても、旋回キャスタ５０’に荷重を分散でき、上下のヒンジ部４０’，４１’への負荷を減らすことができ、ヒンジ部４０’，４１’の摩耗及び破損を防止することができる。
【００４２】
また、本実施例においてドア組込移動式パネル本体２４は、該ドア組込移動式パネル本体２４の一方側部に向け開口する開口部Ｋを設けてドア２１を枢設させる構成で説明したが、この構成に限られるものではなく、図１０に示される第２の変形例のように、ドア２１”の両側に側部材２３”，２３”を設けて、床面に向けてのみ開口した開口部にドア２１”を設けた構成としてもよい。更に、取手２１ｆに替えてドアノブ１００を設けるとともに側部材に該ドアノブのラッチボルト１０１を嵌入するドア穴１０２を設けた構成としてもよい。
【符号の説明】
【００４３】
１                移動式パネル装置
５                キャスタ
１０              移動式パネル
２０              ドア組込移動式パネル
２０ａ              案内部
２１              ドア
２２              上部パネル
２３              側部材
２４              ドア組込移動式パネル本体
３２              キャスタ取付部材
３３              アーム
３３ａ            アーム取付け部
３４              車輪部
３６              挟持部材
３８              ネジ軸
３９              ブラケット
３９ａ            回転ローラ
４０              上ヒンジ部
４１              下ヒンジ
５０              旋回キャスタ
７０              ドア側の緩衝部材
７１              移動式パネルの緩衝部材
８０              フランス落し
８５              ドア固定用フランス落し（移動規制部材）
２００            ドア下フレーム下面
２３０            Ｌ字板
Ｋ                開口部
α                間隙
【図１】
2014088747.tif 000003
【図２】
2014088747.tif 000004
【図３】
2014088747.tif 000005
【図４】
2014088747.tif 000006
【図５】
2014088747.tif 000007
【図６】
2014088747.tif 000008
【図７】
2014088747.tif 000009
【図８】
2014088747.tif 000010
【図９】
2014088747.tif 000011
【図１０】
2014088747.tif 000012